(57)【特許請求の範囲】
【請求項１】
回転可能なクランク軸と回転可能なカム軸（２６）とを有し、前記カム軸（２６）が、前記クランク軸に関して相対的に位置可変であり、回転中にトルクの逆転を受け、かつ前記カム軸（２６）と共に回転するようにそのカム軸に固定された少なくとも一つのローブ（６０ａ、６０ｂ）のあるベーン（６０）を有し、前記カム軸（２６）と共に回転しかつ前記カム軸（２６）に関して揺動するように前記カム軸（２６）に取り付けられたハウジング（３２）を有し、前記ハウジング（３２）が前記ベーンの少なくとも一つのローブ（６０ａ、６０ｂ）を受ける少なくとも一つのリセス（３２ａ、３２ｂ）を有し、前記リセスはハウジング（３２）が前記カム軸（２６）に関して揺動するとき少なくとも一つのローブ（６０ａ、６０ｂ）が少なくとも一つのリセス（３２ａ、３２ｂ）内で揺動するのを許容する内燃機関において、
前記クランク軸から前記ハウジング（２６）に回転運動を伝達する手段（３８）と、
前記カム軸（２６）におけるトルク逆転に反応して前記カム軸（２６）に関して前記ハウジング（３２）の位置を変えるための手段であって、前記ベーン（６０）に液圧流体を作用させる手段と、
前記ハウジング（３２）と前記ハウジング（３２）の位置を変えるための前記手段との間に動作するように配置され、前記ハウジング（３２）の位置を変えるための前記手段の動作によって前記液圧流体の逆流を阻止する必要性をなくす逆止弁（８４、８６）と、
前記ハウジング（３２）の位置を変えるために前記手段に液圧流体を供給するための作動手段（１０６）と、
前記ハウジング（３２）の位置を変えるための前記手段の初期較正を行う手段（１０５）であって、位相の片寄りを自動的に計算する手段と、
前記クランク軸及びカム軸（２６）の回転運動にしたがってパルスを発生する手段と（２７、２８）と、
前記パルスを検知する手段（２７ａ、２８ａ）であって、前記パルスを更に処理されるように伝達する手段と、
前記クランク軸と前記カム軸（２６）との間の生位相角度を決定するための手段（１０７）であって、前記検知手段（２７ａ、２７ｂ）から前記パルスを受け、前記生位相角度を計算するために前記パルスを利用する決定手段（１０７）と、
前記パルスの発生中に遭遇する問題のために前記生位相角度に相当する前記信号を補償するための手段（１０７）であって、前記補償された信号（２０）を更に処理されるように伝達する補償手段（１０７）と、
前記作動手段（１０６）を制御するための手段（１０８）であって、前記補償された信号（２０）を受け、前記補償された信号（２０）を所定の設定点（３５）と比較し、前記比較に基づいてＰＷＭデューティサイクルを発生し、前記デューティサイクルを前記作動手段（３８）に発する制御手段（１０８）と、
を備えた装置。
【請求項２】
請求項１に記載の装置において、前記ハウジング（３２）が前記カム軸（２６）に揺動するように軸受けされたスプロケット（３２）を有し、前記スプロケット（３２）がチエーン駆動装置（３８）によって前記クランク軸に接続されている装置。
【請求項３】
請求項１又は２に記載の装置において、前記ハウジング（３２）の位置を変える前記手段が液圧シリンダ（１３４）及び比例スプール弁（９２）を備え、前記スプール弁（９２）の位置が前記シリンダ（１３４）内に収容された液圧流体の圧力によって制御される装置。
【請求項４】
請求項１ないし３のいずれかに記載の装置において、前記作動手段（１０６）がソレノイド弁（１０６）を備え、前記ソレノイド弁が前記液圧シリンダ（１３４）への液圧流体の流れを制御する装置。
【請求項５】
請求項４に記載の装置において、前記ソレノイド弁（１０６）がパルス幅変調（ＰＷＭ）される種類である装置。
【請求項６】
請求項１ないし５のいずれかに記載の装置において、前記作動手段（１０６）を制御するための前記手段が、
比例ゲイン（２０８、４０８）を制御する手段と、
積分ゲイン（２０８、４０８）を制御する手段と、
位相進み（２０８、４０８）を補償する手段と、
外乱を補償する手段（６０８）と、
を備えている装置。
【請求項７】
請求項１ないし６のいずれかに記載の装置において、前記作動手段（１０６）を制御するための前記手段（１０８）が所定の設定点（３５）を濾過するための手段（３５ａ）を備える装置。
【請求項８】
請求項１ないし６のいずれかに記載の装置において、前記作動手段（１０６）を制御するための前記手段（１０８）が、更に、前記補償された信号（２０）を濾過して高周波の揺動の存在を最小にし、それによって濾過された信号（３０）を発生する少なくとも一つの手段（２５）を備える装置。
【発明の詳細な説明】
【０００１】
【産業上の利用分野】
本発明は、クランク軸に関する単一カム軸エンジンのカム軸のタイミング、又は二重カム軸エンジンのカム軸の一方又は両方のタイミングが変更されてエンジンの一つ又はそれ以上の動作特性を改善する内燃機関に関する。更に詳細には、本発明は、装置の始動又は位相角度測定に関連した誤りを補償することによってタイミングの調整の効率を増加するための装置に関する。
【０００２】
【従来の技術】
内燃機関すなわちエンジンの性能は、二重カム軸、すなわち一方はエンジンの種々のシリンダの吸気弁を動作するカム軸で他方は排気弁を動作するカム軸、を使用することによって改善されることは知られている。典型的に、このようなカム軸の一方はエンジンのクランク軸によってスプロケット及びチエーン駆動装置又はベルト駆動装置を介して駆動され、他方のカム軸は第２のスプロケット及びチエーン駆動装置又は第２のベルト駆動装置を介して第１のカム軸により駆動される。代わりに、カム軸の両者は単一のクランク軸で駆動されるチエーン駆動装置又はベルト駆動装置によって駆動され得る。二重カム軸を有するエンジンにおけるエンジン性能は、一方のカム軸、通常はエンジンの吸気弁を動作するカム軸に関して他方のカム軸の及びクランク軸の位置関係を変え、それによって排気弁に関する吸気弁の動作の点で、或いはクランク軸の位置に関する弁の動作の点でエンジンのタイミングを変えることによって、アイドル特性、燃焼の経済性、排出物の減少又はトルクの増大の点で改善されることは知られている。今まで、エンジンの弁のタイミングにおける変化は、エンジン潤滑油によって動作される別個の液圧モータによって達成されてきた。
【０００３】
しかしながら、この作動装置は顕著な追加のエネルギを消費し、かつカム軸位相アクチュエータの適当な動作に対して必要とされる敏速な応答時間のために、エンジン潤滑ポンプの大きさを増加しなければならない。更に、これらの装置は、典型的にクランク軸位置とカム軸位置との間の位相の調整が合計で２０°に限られ、かつ典型的にこのような装置は２位置装置、すなわち一つの位置で全位相が調整され、或いは他の位置で位相が調整されない。本発明は、自己動作する、可変のカム軸タイミング装置を提供することによって従来技術の可変カム軸タイミング装置に関連するこれらの問題を克服するように設計されている。本発明によるタイミング装置は、動作するために外部のエネルギを必要とせず、そのような可変カム軸タイミング装置の過渡的液圧動作条件に適合するようにエンジン潤滑ポンプの必要な大きさを増すことなく、その動作限界内で連続的に可変のカム軸対クランク軸の位相関係を与え、かつクランク軸位置とカム軸位置との間で実質的に２０°以上の位相調整を与える。前述の形式の種々の装置を記載している米国特許は、第５，０４６，４６０号、第５，００２，０２３号及び第５，１０７，８０４号であり、これらは参考としてこの明細書において取り入れている。
【０００４】
従来技術に示された発明は、カム軸の位置或いは二重カム軸装置におけるカム軸の一方又は両方の位置が作動装置によってクランク軸に関して位相調整される内燃機関の位相調整のための方法を提供する。このような装置はパルス幅変調（ＰＷＭ）ソレノイドのあるパイロット段階を有する強健な閉ループ装置、例えば参考としてこの明細書に取り入れられた継続中の米国特許出願第０７／８４７，５７７号に全体的に示されるような装置によって制御される。所定の設定点はあるエンジン性能基準に対して所望のカム軸位相角度を制御する。この可変カム軸タイミング（ＶＣＴ）装置はアイドル性能、燃料の経済性、排出物又はトルクのような重要なエンジン動作特性を改善するために使用され得る。
【０００５】
カム軸に取り付けられた液圧ＶＣＴ装置の好ましい実施例は、一つ又はそれ以上の半径方向に伸びるベーンを使用し、そのベーンはカム軸に関して円周方向に固定されかつカム軸に関して揺動可能なスプロケットハウジングの空洞内に受け入れ可能である。液圧流体は比例（スプール）弁を介して各ベーンの一方の側又は他の側に選択的に送られてスプロケットに関するカム軸の位置を進め或いは遅らせる。閉ループフィードバック装置によって生起される信号に反応して汲み上げ作用（ｐｕｍｐｉｎｇ  ａｃｔｉｏｎ）が起こる。閉ループフィードバック制御は「２位置」の場合、すなわち十分に進められ又は十分に遅らされた場合以外のあらゆる場合に対して絶対必要である。これは、カム軸の位相がスプール弁位置の積分によって制御されるからである。すなわち、スプール位置はカム軸の位相に相当するのでなくその変化の率に相当する。したがって、ナル（ｎｕｌｌ）（中心決めされた）以外のあらゆる定常状態位置は、ＶＣＴを最終的に位相における物理的限界の一つにする。閉ループ制御は、カム軸の位相が命令された位置又は設定点に到達したときスプールが中立に戻るのを許容する。フィードバック制御を使用する別の結果は、装置の性能が機械的又は周囲の変数に対して鈍くなることである。これにより、油圧又は油温における変化のような短期間の変化、又は公差又は摩耗による長期間の変動の影響が減少する。加えて、予期しない外乱（例えばトルクの切り換わり）の存在による設定点の追従誤差（ｔｒａｃｋｉｎｇ  ｅｒｒｏｒ）は減少する。感度の減少及び外乱（ｄｉｓｔｕｒｂａｎｃｅ）の拒絶の程度は制御装置の「強健さ（ｒｏｂｕｓｔｎｅｓｓ）」と呼ばれる。閉ループ制御はある程度の粗さを有する安定した設定点の追従を与える。
【０００６】
前述の米国特許出願継続番号０７／８４７，５７７号に記載された方法は、クランク軸とカム軸との間の位相の調整を経てエンジンの性能を改善するという以前の方法よりも優れた利点を提供するが、困難な問題が生じる。第１に、機械的不正確さが位相調整処理の位相測定段階において発生する。過去において、位相の片寄りは人手で計算されかつ制御論理装置すなわち制御ロジック（ｃｏｎｔｒｏｌ  ｒｏｇｉｃ）に加えられてこれらの不正確さを補償していた。本発明は、装置の始動時及びその後の必要な時の両方に必要な位相の片寄りを自動的に計算することが可能であり、これによって自己調整ＶＣＴ装置が得られる。
【０００７】
時たま生じる他の難題は、正しいパルスの代わりに悪いすなわち先行するパルスが位相を計算するために使用されるまで装置の位相が進むとき、生じる。したがって、計算された位相角度は正しい僅かに負の（進み）値よりむしろ大きな正の（遅れ）値のように見える。「パルスの交差（ｐｕｌｓｅ  ｃｒｏｓｓｏｖｅｒ）」と呼ばれるこの問題は、前以て決定された位相の片寄りＺを使用して不正確な位相の測定を補償することによって修正される。
【０００８】
【発明が解決しようとする課題】
したがって、本発明の目的は、液圧ＰＷＭスプール位置制御を利用する改善したＶＣＴ装置、及び高度の強健さを有する規定された設定点の追従挙動を生じる進んだ制御アルゴリズムを提供することである。
【０００９】
更に、本発明の目的は、始動又は位相の測定中に発生されるような変動、並びにエンジン油圧、構成要素の公差、ばね率及び空気の捕捉（ｅｎｔｒａｉｎｍｅｎｔ）及び漏れにおける変動のようなエンジンパラメータにおける平凡な変動を含む幅広いパラメータの変動に亙って実質的に変化しない性能を保つ、前述の形式のＶＣＴ装置を備える内燃機関を提供することである。
【００１０】
【課題を解決するための手段】
本願の発明は、回転可能なクランク軸と回転可能なカム軸とを有し、前記カム軸が、前記クランク軸に関して相対的に位置可変であり、回転中にトルクの逆転を受け、かつ前記カム軸と共に回転するようにそのカム軸に固定された少なくとも一つのローブのあるベーンを有し、前記カム軸と共に回転しかつ前記カム軸に関して揺動するように前記カム軸に取り付けられたハウジングを有し、前記ハウジングが前記ベーンの少なくとも一つのローブを受ける少なくとも一つのリセスを有し、前記リセスはハウジングが前記カム軸に関して揺動するとき少なくとも一つのローブが少なくとも一つのリセス内で揺動するのを許容する内燃機関において、装置が、前記クランク軸から前記ハウジングに回転運動を伝達する手段と、前記カム軸におけるトルク逆転に反応して前記カム軸に関して前記ハウジングの位置を変えるための手段であって、前記ベーンに液圧流体を作用させる手段と、前記ハウジングと前記ハウジングの位置を変えるための前記手段との間に動作するように配置され、前記ハウジングの位置を変えるための前記手段の動作によって前記液圧流体の逆流を阻止する必要性をなくす逆止弁と、前記ハウジングの位置を変えるために前記手段に液圧流体を供給するための作動手段と、前記ハウジングの位置を変えるための前記手段の初期較正を行う手段であって、位相の片寄りを自動的に計算する手段と、前記クランク軸及びカム軸の回転運動にしたがってパルスを発生する手段と、前記パルスを検知する手段であって、前記パルスを更に処理されるように伝達する手段と、前記クランク軸と前記カム軸との間の生位相角度を決定するための手段であって、前記検知手段から前記パルスを受け、前記生位相角度を計算するために前記パルスを利用する決定手段と、前記パルスの発生中に遭遇する問題のために前記生位相角度に相当する前記信号を補償するための手段であって、前記補償された信号を更に処理されるように伝達する補償手段と、前記作動手段を制御するための手段であって、前記補償された信号を受け、前記補償された信号を所定の設定点と比較し、前記比較に基づいてＰＷＭデューティサイクルを発生し、前記デューティサイクルを前記作動手段に発する制御手段と、を備えて構成されている。
【００１１】
【実施例】
以下図面を参照して本発明の実施例について説明する。
前述の米国特許第５，０４６，４６０号及び第５，００２，０２３号に記載され、図１に概略的に示されているように、カム軸測定パルスはカム軸２６がエンジンの動作中に回転するときカム軸パルスホイール２７によって発生される。カム軸パルスはカム軸パルスセンサ２７ａによって検知され、それから位相測定及び補償１０７のために伝達される。クランク軸測定パルスはクランク軸パルスホイール２８及びクランク軸パルスセンサ２８ａを利用することによって同じような方法で発生され、検知されかつ伝達される。これらのパルスはクランク軸に関するカム軸の位置を決定するために利用され、それから液圧作動ＶＣＴ装置の一つ又はそれ以上の液圧要素を作動する。
【００１２】
本発明のために次の仮定がなされる。
１）位相計算のために単に等しく隔てられた測定パルスが使用される（あらゆる余分のパルスは無視される）、すなわちＮはパルスホイール回転毎のクランク軸パルスの数であり、かつＭはパルスホイール回転毎のカム軸パルス数である。
２）カム角度における最大位相変動は３６０°／Ｍより小さい。及び
３）クランク角度における最大位相変動は３６０°／Ｎより小さい
【００１３】
本発明の目的で次の変数が使用される。
１）Ｋ1＝クランク軸パルス毎のクランク角度における３６０°／Ｎ
２）Ｋ2＝カム軸パルス毎のクランク軸角度における２（３６０°／Ｍ）
３）Ｚ＝角度で表した位相の片寄り
４）ＰＨＭＩＮ＝角度で表した最小位相変動
５）ＰＨＭＡＸ＝角度で表した最大位相変動
６）ＬＣＡＭＰＷ＝クランク軸パルスの後縁とカム軸パルスの後縁との間の秒で表した経過時間
７）ＮＥＰＷ＝連続するクランク軸パルス間の秒で表した経過時間
【００１４】
初期較正
典型的に、位相の片寄りは位相角度測定に加えられてパルスホイールの物理的不整合を修正する。過去において、片寄りは経験的に決定されて制御ロジック内に取り入れられた。片寄りは位相測定範囲の調整をＶＣＴ装置の真の物理的位置に直接対応させる。本発明によれば、この片寄りは自動的に決定される。装置の初期較正（ｉｎｉｔｉａｌ  ｃａｌｉｂｒａｔｉｏｎ）１０５は、制御法則（ｃｏｎｔｒｏｌ  ｌａｗ）１０８及び設定点３５入力を使用する前に、それが十分に進められた位置に動かされたとき、ＶＣＴ装置の始動と共に実行される。プログラムの初期化（ｉｎｉｔｉａｌｉｚａｔｉｏｎ）において、再較正「フラッグ（ｆｌａｇ）」は論理的な「真実」にセットされ、計算が必要とされることを示す。初期化段階は動作の最初のおおよそ２秒の間に起こる。位相の片寄りの値は、位相角度がまだ測定されていないので、ゼロに等しい。プログラムの初期化に続いて、処理は較正モードに入り、その較正モードにおいて、デューティサイクルはその最小に設定され、かつ見られた位相の最小の値θminは監視される。このθminは次のように位相の片寄りＺを計算するために使用される。
【数１】
0003767634.tif 000002
従来技術において記載したように位相角度を決定するために方程式を置き換えると、そのとき、
【数２】
0003767634.tif 000003
したがって、位相の片寄りＺは、ＶＣＴ装置の動作の初期の較正段階１０５中に自動的に計算され、装置の始動の前に固定した片寄りを人手により計算する必要性を無くしている。較正の手順はＶＣＴ装置が全進み位置に強制されている時はいつでも、動作中に繰り返される。
【００１５】
位相測定及び比較
初期較正１０５にすぐに続いて、クランク軸とカム軸２６との間のロー位相角度θ1（図示せず）は、図７及び図８に示されるクランク軸パルス及びカム軸パルスを使用して次のように連続的に計算される。
【数３】
0003767634.tif 000004
ここで、
θ1＝生位相角度（ｒａｗ  ｐｈａｓｅ  ａｎｇｌｅ）
ＬＣＡＭＰＷ  ２，４＝クランク軸パルスの後縁とカム軸パルスの後縁と              の間の時間
ＮＥＰＷ  １，３＝連続するクランク軸パルス間の時間、及び
Ｎ＝クランク軸パルスの数
【００１６】
装置が図７に示される通常の動作位置にあるとき、生（ｒａｗ）位相θ1は正確に決定され得る。適当なカム軸のパルスａ及びａａはクランク軸パルスＡとＢとの間でやがて起こる、すなわちＰＨＭＩＮ＜θ1＜ＰＨＭＡＸ、したがってθ2＝θ1である。この位置において、生位相θ1を計算するのに使用された時間はＬＣＡＭＰＷ＝ｔAB２及びＮＥＰＷ＝ｔAB１である。
【００１７】
しかしながら、図８に示された進み位置において、本発明の利益なしで、生位相θ1（図示せず）を正確に計算するたための正しいカム軸のパルスは、やがてクランク軸のパルスＥを先行し、その結果、装置は生位相θ1（図示せず）を決定するために後続するパルスｆに不正確に注意する。クランク軸のパルスＮＥＰＷ＝ｔEF３の間の時間は一定であり、したがって正しいけれど、不正確なカム軸の時間ＬＣＡＭＰＷ＝ｔEf４は位相を計算するために正しい時間ＬＣＡＭＰＷ＝ｔEe５の代わりに使用される。装置が生位相θ1を決定するために誤った（「交差された（ｃｒｏｓｓｅｄ  ｏｖｅｒ）」）カム軸のパルスｆを使用するので、結果は大きな正の（遅れ）位相値であり、その値は正しい僅かに負の（進み）位相値でなくて不正確である。
【００１８】
上記問題を解決するため、次の式が位相計算及び補償段階１０７に組み入れられる。
【数４】
0003767634.tif 000005
ここで、θ2２０＝補償された位相角度。全進み位置中に、すなわちθ1＞ＰＨＭＡＸのとき、
【数５】
0003767634.tif 000006
である。同様に、もし装置が遅れ位置（図示せず）にあり、すなわちθ1＜ＰＨＭＩＮでありかつクランク軸のパルス及びカム軸のパルスが「交差され」ているが、反対方向にあると、そのとき、
【数６】
0003767634.tif 000007
である。全体の目標はこのように達成される。位相の測定はＶＣＴの真の物理的位置を自動的に示す。
【００１９】
位相濾過
位相の測定θ2２０はそれから図６に概略的に示される同期フィルタ２５に供給される。カム軸が回転すると、トルクパルス１０はＶＣＴの位相θ４０に高周波の外乱を重ねる。したがって、トルクパルス１０と高周波の外乱との間で正確に同期する。同様に、カム軸測定パルス２７ａは外乱と同期化される。本発明によれば、補償された位相測定θ2２０を有効に濾過するためにこの同期を利用することが可能であり、その結果、高周波の外乱は制御作用から隔離される。カム軸の速度が変わると、フィルタ周波数は外乱周波数を自動的に追従する。フィルタ２５自信はカム軸測定パルス周波数２７ａのサンプリング周波数と等しいサンプリング周波数を有する不連続時間刻み（ｄｉｓｃｒｅｔｅ−ｔｉｍｅ  ｎｏｔｃｈ）フィルタである。濾過された位相測定θ1３０はそれから制御法則１０８に供給される。高周波の外乱は隔離されているので、制御法則１０８はそれ自身補償しようとしない。これにより、ここに記載された濾過ステップによって動力を節約し、摩耗を減少しかつ信号の線形性を増大することが可能である。
【００２０】
図６は回転数（ｎ）毎のカム軸測定パルスの数が回転数（ｍ）毎のトルクパルスの数の２倍より大きい場合におけるフィルタ２５に対する実施例を示す。フィルタ２５はトルクの外乱の基本的な周波数を除去する。ｎ＜２ｍの場合、外乱は低い周波数まで「通称が付けられ（ａｌｉａｓｅｄ）」、かつこれはフィルタ２５によって周波数アドレス付け（ｆｒｅｑｕｅｎｃｙ  ａｄｄｒｅｓｓｅｄ）される。更に別の段階は外乱周波数の調和を除去するために加えられる。
【００２１】
図６に対する変数は次の通りである。
【数７】
0003767634.tif 000008
【００２２】
制御法則
補償され、濾過された位相信号θf３０は、それから制御法則１０８を受け、これは図２に詳細に記載されている。信号θf３０は比例積分制御ブロック２０８によって条件付けされ、そこにおいて補償され、濾過された位相信号θf３０は設定点ｒ３５から減じられて追従誤差（ｔｒａｃｋｉｎｇ  ｅｒｒｏｒ）ｅo３２を与える。追従誤差ｅo３２はそれから比例積分（ＰＩ）制御ブロック２０８によって処理され、積分遅れ（ｉｎｔｅｇｒａｔｏｒ  ｌａｇ）を補償するために位相進み（ｐｈａｓｅーｌｅａｄ）と同様に無限のＤＣゲインを与える。積分作用は定常状態の追従誤差が確実にゼロになるようにする。
【００２３】
ＰＩ制御ブロックすなわち比例積分制御ブロック２０８は、それから装置の「内部ループ（ｉｎｎｅｒ  ｌｏｏｐ）」を制御するために使用される。濾過された位相角度測定θf３０はそれから減じられ、内部ループ誤差ｅ1３３になる。このループ誤差ｅ1３３はループゲインＫ2によって増大されかつ位相進み補償３０８の影響を受ける。このような位相リード補償３０８はＰＷＭパイロット段階１０６（図１及び図１８に示されている）の低周波数位相遅れを実質的に無くすことによって迅速な応答を与える。ゲイン及び位相リード周波数は閉ループの動力学及び強健さの独立した制御を達成するために十分な自由度を与える。
【００２４】
図３はデジタル器具用の同様のフィードバック制御法則１０８を示す。ＰＩ制御ブロック４０８に対する変数は、
【数８】
0003767634.tif 000009
である。位相リード補償ブロック５０８に対する変数は、
【数９】
0003767634.tif 000010
である。
【００２５】
ＶＣＴベーン装置
図９ないし図１７は液圧ベーン装置の実施例を示し、その実施例において、スプロケットの形式のハウジングはカム軸２６に揺動するように支持されている。カム軸２６は単一カム軸エンジンのカム軸のみ、オーバーヘッドカム軸形式又はインブロック（ｉｎｂｌｏｃｋ）カム軸形式のいずれと考え得る。代わりに、カム軸２６は二重カム軸エンジンの吸気弁作動カム軸又は排気弁作動カム軸のいずれかと考え得る。いずれにしろ、スプロケット３２及びカム軸２６は共に回転可能であり、かつ部分的に示されている無端のローラチエーン３８によってスプロケット３２にトルクを加えることによって回転され、そのローラチエーンはスプロケット３２及び図示しないクランク軸の回りに巻かれている。後で詳細に記載するように、スプロケット３２はカム軸２６に揺動可能に支持され、その結果、スプロケットはカム軸の回転中にカム軸２６に関して少なくとも限られた円弧に亙って揺動可能であり、その動作はクランク軸に関するカム軸２６の位相を調整する。
【００２６】
環状のポンプ作用ベーン６０はカム軸２６に固定して位置決めされ、そのベーン６０は直径方向反対の一対の半径方向外側に突出するローブ６０ａ、６０ｂを有しかつボルト６２によってカム軸の拡大した端部２６ａに取り付けられ、そのボルトはベーン６０を通して端部２６ａ内に伸びている。この点に関して、カム軸２６はカム軸が関連するエンジンブロック（図示しない）に関して正確に位置決めされるようにするためにスラスト肩部２６ｂが形成されている。ポンプ作用ベーン６０はドウエルピン６４によって端部２６ａに関して正確に位置決めされている。ローブ６０ａ、６０ｂは、それぞれ、スプロケット３２の半径方向外側に突出するリセス３２ａ、３２ｂ内に受けられ、各リセス３２ａ、３２ｂの円周方向の距離はリセス内に受けられたベーンのローブ６０ａ、６０ｂの円周方向の距離より僅かに大きく、ベーン６０に関するスプロケット３２の限られた揺動運動を許容している。リセス３２ａ、３２ｂは、隔てられ横方向に伸びる環状のプレート６６、６８によってそれぞれローブ６０ａ、６０ｂの回りで閉鎖され、それらのプレートはボルト７０によってベーン６０に関してかつこれによってカム軸６０に関して固定され、そのボルトは同じローブ６０ａ又は６０ｂの一方から他方に伸びている。更に、スプロケット３２の内周３２ｃはベーン６０の部分６０ｄの外周に関してシールされ、その部分はローブ６０ａと６０ｂとの間にあり、ベーン６０のローブ６０ａ、６０ｂの先端はそれぞれシールされた収容スロット６０ｅ、６０ｆが設けられている。したがって、スプロケット３２のリセス３２ａ、３２ｂの各々は液圧を保持することが可能であり、かつ各リセス３２ａ、３２ｂ内においてローブ６０ａ、６０ｂの各側の部分はそれぞれ液圧を保持することが可能である。
【００２７】
図９ないし図１７の実施例の構造の機能は図１８を参照して理解され得る。説明としてエンジン潤滑油の形式である液圧流体は共通の入口ライン８２を介してリセス３２ａ、３２ｂ内に流れる。入口ライン８２は対向する逆止弁８４と８６との間の接続部においれ終わり、それらの逆止弁は枝ライン８８、９０を介してそれぞれリセス３２ａ、３２ｂに接続されている。逆止弁８４、８６はそれぞれ環状のシート８４ａ、８６ａを有し、液圧流体が逆止弁８４、８６を介してそれぞれリセス３２ａ、３２ｂ内に流れるのを許容する。逆止弁８４、８６を介しての液圧流体の流れは、それぞれ浮動ボール８４ｂ、８６ｂによって阻止され、それらの浮動ボールはそれぞればね８４ｃ、８６ｃによってシート８４ａ、８６ａに向かって弾力的に偏倚されている。逆止弁８４、８６はリセス３２ａ、３２ｂの初期の充填を許容しかつそこからの漏れを補償するために補充（ｍａｋｅｕｐ）液圧流体を連続して供給する。液圧流体はカム軸２６内に組み込まれたスプール弁９２を経てライン８２に入り、かつ液圧流体はそれぞれ戻りライン９４、９６によってリセス３２ａ、３２ｂからスプール弁９２に戻される。
【００２８】
スプール弁９２は円筒状部材９８と、円筒状部材９８内で前後に滑動するスプール１００とで作られている。スプール１００は反対端に円筒状のランド１００ａ及び１００ｂを有し、部材９８内にぴったりと嵌まるランド１００ａ及び１００ｂは、ランド１００ｂが戻りライン９６からの液圧流体の流出を阻止するか、ランド１００ａが戻りライン９４からの液圧流体の流出を阻止するか、或いはランド１００ａ及び１００ｂが図１８に示されるように両戻りライン９４及び９６からの液圧流体の流出を阻止するように、位置決めされ、そこにおいて、カム軸２６は関連するエンジンのクランク軸に関して選択的な中間位置に保持されている。
【００２９】
部材９８内のスプール１００の位置は、それぞれランド１００ａ、１００ｂの端部に作用する反対側の対のばね１０２、１０４によって影響される。したがって、ばね１０２はスプール１００を図１８で見て左の方向に弾力的に偏倚し、かつばね１０４はスプール１００その図で右の方向に弾力的に偏倚する。部材９８内のスプール１００の位置は、ランド１００ａの外側における部材９８の部分９８ａ内への液圧流体の供給によって影響される、その液圧流体はスプール１００を左に偏倚する。部材９８の部分９８ａはエンジンの主油槽（「ＭＯＧ」）１３０から直接加圧流体（エンジン油）を受け、この油はエンジンのカム軸２６が回転する軸受け１３２を潤滑する。
【００３０】
部分９８内でのスプール１００の位置の制御は制御圧力シリンダ１３４内の液圧に応答し、そのシリンダのピストン１３４ａはスプール１００の延長部１００ｃに当接している。ピストン１３４ａの表面積は部分９８ａ内の液圧にさらされているスプール１００の端部の表面積より大きく、好ましくは２倍大きい。したがって、スプール１００に反対に作用する液圧は、シリンダ１３４内の圧力が部分９８ａ内の圧力の１／２であるとき、釣り合っている。これにより、もしばね１０２及び１０４が釣り合わされるなら、シリンダ１３４内の全エンジン油圧より小さい圧力でスプール１００が図１８に示されるようにナルすなわち中央位置を保ち、それによって必要に応じてシリンダ１３４内の圧力を増加し又は減少することによってスプール１００がいずれかの方向に動かされるようにする点で、スプール１００の位置の制御を容易にしている。
【００３１】
シリンダ１３４内の圧力は、既に記載した閉ループフィードバック装置１０８からの制御信号に応答して、好ましくはパルス幅変調（ＰＷＭ）形式のソレノイド弁１０６によって制御される。初期の較正の後、位相測定及び補償段階１０７はカム軸２６と図示しないクランク軸との間の生位相角度θ1に相当する信号を処理し、かつあらゆる不正確さに対して補償し、補償した位相値θ2になる。同期フィルタ２５に従った後、濾過され補償された位相値θf３０は所定の設定点ｒ３５（制御法則段階１０８内の）と比較され、かつＰＷＭデューティサイクルはソレノイド１０６に発っせられる。スプール１００が無効位置で、シリンダ１３４内の圧力が前述のように部分９８ａ内の圧力の１／２と等しいとき、ソレノイド１０６のオンーオフパルスは、オフ持続期間に関するオン持続期間を増加し又は減少することによって等しい持続期間になり、シリンダ１３４内の圧力はそのような１／２レベルに関して増加し又は減少し、それによってスプール１００をそれぞれ右又は左に移動する。ソレノイド１０６は入口ライン１１４を通して主エンジン油槽（ＭＯＧ）からエンジン油を受けかつそのような供給源からエンジン油を供給ライン１３８を通してシリンダ１３４に選択的に配送する。図１１及び図１２に示されるように、シリンダ１３４は、ピストン１３４ａがスプール１００の露出した自由端１００ｃに当接するようにカム軸２６の露出した端部に取り付けられてもよい。この場合、ソレノイド弁１０６は、好ましくは、シリンダ１３４ａを被っているハウジング１３４ｂ内に取り付けられる。
【００３２】
スプロケット３２のリセス３２ａ、３２ｂからの漏れを補償するためのそのリセスに対する補充油は、スプール１００内の小さな内部通路１２０を介して通路すなわち部分９８ａから円筒状部材９８内の環状の隙間９８ｂに供給され、その隙間から油は入口ライン８２内に流れる。逆止弁１２２は通路１２０内に配置されて環状の隙間９８ｂから円筒状部材の部分９８ａへの油の流れを阻止する。
【００３３】
ベーン６０はカム軸２６のトルクパルスによって時計回り方向及び反時計回り方向に交互に変位され、かつこれらのトルクパルスはスプロケット３２に関してベーン６０を、したがってカム軸２６を揺動させようとする。しかしながら、円筒状部分９８内のスプール１００の図１８の位置において、そのような揺動はスプロケット３２のリセス３２ａ、３２ｂ内のベーン６０の反対側のローブ６０ａ、６０ｂにそれぞれ作用する液圧流体によって阻止される。それは、両戻りライン９４、９８がスプール１００の位置によって阻止されるので液圧流体がリセス３２ａ、３２ｂのいずれからも出られないからである。例えば、もしカム軸２６及びベーン６０がスプロケット３２に関して反時計回り方向に動くのを許容したいと望むなら、シリンダ１３４内の圧力をシリンダ部材の部分９８ａ内の１／２より大きいレベルまで増加することが必要である。これはスプール１００を右に偏倚しそれによって戻りライン９４の阻止を解除する。装置のこの状態において、カム軸２６の反時計回り方向のトルクパルスは流体をリセス３２ａの部分の外に流しかつベーン６０のローブ６０ａが液圧流体の空になったリセスの部分内に移動するのを許容する。しかしながら、ベーンの逆の移動は、スプール１００のランド１００ｂによる戻りライン９６を通した流体の流れが阻止されるために、スプール１００が左に動かないと或いは左に動くまでカム軸の脈動が反対に向けられるので、起こらない。したがって、カム軸トルクパルスによって誘導される大きな圧力の変動は装置の状態に影響を与えず、個々のトルクパルスでスプール弁９２の開閉に同期する必要性を除去している。図１８において別個の閉鎖された通路として示されたが、ベーン６０の周囲は図９ないし図１７の開いた油通路スロット、要素６０ｃを有し、その要素は油がローブ６０ａの右側のリセス３２ａ内の部分とローブ６０ｂの右側のリセス３２ｂ内の部分との間の油の移動を許容し、流れが戻りライン９４を介して許容されたときスプロケット３２に関するベーン６０の反時計回り方向移動が起こり、かつ流れが戻りライン９６を介して許容されたとき時計回り方向移動が起こる。
【００３４】
更に、通路８２は、ローブ６０ａ又は６０ｂの一方の、すなわちローブ６０ｂとして示されている、非作動側に延長部８２ａが設けられ、ローブ６２ａ及び６２ｂの非作動側へ補充油を連続的に供給するのを許容して、回転釣り合いを良くし、ベーンの運動の減衰を改善し、かつベーン６０の支持面の潤滑を改善する。
【００３５】
上述のような図１８の要素に相当する図９ないし図１７の構造の要素は、図１８に使用された参照番号によって図９ないし図１７において同一性が確認される。逆止弁８４及び８６は、図１８のボール形逆止弁に対して図９ないし図１７においてはディスク形逆止弁である。この形式の逆止弁は図９ないし図１７の実施例に好ましいが、他の形式の逆止弁も使用され得る。
【００３６】
本発明の別の実施例
図４においてＶＣＴ制御法則１０８の単ループ形状を使用する別の実施例が示されている。設定点ｒ３５はフィードバック信号θf３０を減じる前にフィルタＦ（ｓ）３５ａによって再度処理される。結果として生じる誤差ｅ2３４はそれからＰＩ制御ブロック２１８及び位相進みブロック３１８によって処理され、ＰＷＭデューティサイクルになる。したがって、本発明の別の実施例の目的は、図２及び図３に示された制御法則を利点を単ループ形状に組み込むことである。
【００３７】
図５は変数補償及び外乱の正方向送り（ｆｅｅｄ  ｆｏｒｗａｒｄ）６０８を含む拡張した閉ループフィードバック装置の別の実施例である。この液圧機械装置のゲインは、液体供給圧、エンジン速度、油温及び自然のクランク軸／カム軸の向きのような幾つかの変数による。制御装置すなわちコントローラ２０８内の減少に反対に作用するために、すべての変数の正味効果は見積もられかつ比例ゲインＫpは応答が減少するにしたがって増加する。コントローラ１００は正味効果の見積もりにしたがってナルのデューティサイクルＵnull６１１を調整することによって外乱現象を予測する。見積もられた△ナル６０９は圧力、温度及び所定の設定点３５の非線形関数として決定される。それは名目上のナルＵo６１０から減じられ、制御ループ内で使用される全体の値Ｕnull６１１を与える。
【００３８】
出願時点において本発明を実行するために発明者によって意図された最適のモードが示されかつ説明されたが、当業者が発明の範囲内で改良、変形できることは明らかである。
【００３９】
【発明の効果】
始動又は位相の測定中に発生されるような変動、並びにエンジン油圧、構成要素の公差、ばね率及び空気の捕捉及び漏れにおける変動のようなエンジンパラメータにおける平凡な変動を含む幅広いパラメータの変動に亙ってＶＣＴ装置並びにその装置を使用した内燃機関の性能を実質的に変化しないで保つことができる。
【図面の簡単な説明】
【図１】  ＶＣＴ装置用の改良した閉ループフィードバック装置のブロックダイアグラムである。
【図２】  閉ループフィードバック装置に使用される本発明の好ましい実施例の粗いＶＣＴ制御法則のブロックダイアグラムである。
【図３】  図２に示された粗いＶＣＴ制御法則のデジタル器具のブロックダイアグラムである。
【図４】  単ループ形状及び濾過された設定点を使用する本発明の別の実施例の粗いＶＣＴ制御法則のブロックダイアグラムである。
【図５】  変数補償及び外乱の正方向送りを備える本発明の別の実施例の粗いＶＣＴ制御法則のブロックダイアグラムである。
【図６】  同期フィードバックフィルタの成分段階を説明するブロックダイアグラムである。
【図７】  通常の動作位置におけるＶＣＴ装置用の位相測定パルス調時ダイアグラムである。
【図８】  進み位置におけるＶＣＴ装置用の位相測定パルス調時ダイアグラムである。
【図９】  可変カム軸調時装置の実施例が取り付けられたカム軸の端面図である。
【図１０】  他の部分をよりはっきりと示すために構造の一部が取り除かれた図２と同様の図である。
【図１１】  図１０の線４−４に沿った断面図である。
【図１２】  図１０の線５−５に沿った断面図である。
【図１３】  図１０の線６−６に沿った断面図である。
【図１４】  図９ないし図１３の可変カム軸調時装置の要素の端面図である。
【図１５】  反対端からの図１４の要素の立面図である。
【図１６】  図１４及び図１５の要素の側立面図である。
【図１７】  反対端からの図１６の要素の立面図である。
【図１８】  図９ないし図１７の可変カム軸調時装置の単純化した概略図である。
【符号の説明】
２６  カム軸                        ２７、２８
２７ａ、２８ａ                      ３２  スプロケット
３５  設定点                        ３８  チエーン
６０  ベーン                        ６０ａ、６０ｂ  ローブ
８４、８６                          ９２  スプール弁
１０６  ソレノイド                  １０７  位相測定及び補償段階
１０８  制御法則
【図１】
0003767634.tif 000011
【図２】
0003767634.tif 000012
【図３】
0003767634.tif 000013
【図４】
0003767634.tif 000014
【図５】
0003767634.tif 000015
【図６】
0003767634.tif 000016
【図７】
0003767634.tif 000017
【図８】
0003767634.tif 000018
【図９】
0003767634.tif 000019
【図１０】
0003767634.tif 000020
【図１１】
0003767634.tif 000021
【図１２】
0003767634.tif 000022
【図１３】
0003767634.tif 000023
【図１４】
0003767634.tif 000024
【図１５】
0003767634.tif 000025
【図１６】
0003767634.tif 000026
【図１７】
0003767634.tif 000027
【図１８】
0003767634.tif 000028